(57)【要約】【課題】この発明は、硬質の外部ホルダに、カップ類を保持しうる柔軟性と弾性を兼ね備えた内部ホルダを組み合わせて、多様な大きさ・形状のカップ類に対応しうるカップホルダに関する。【解決手段】この発明のカップホルダ１は、硬質の素材からなって、中央に上面が開口する中空状の受部３を有する外部ホルダ２と、中央にカップを保持するための中空部５を有し、柔軟性および弾性を有する素材からなって、前記外部ホルダ２の受部３に隙間無く嵌着される内部ホルダ４とからなることを特徴とする。【選択図】　　　　図１
2004042730.tif 000002
【特許請求の範囲】
【請求項１】
硬質の素材からなって、中央に上面が開口する中空状の受部を有する外部ホルダと、
中央に収納するカップ類を保持するための中空部を有し、柔軟性および弾性を有する素材からなって、前記外部ホルダの受部に隙間無く嵌着される内部ホルダとからなることを特徴とするカップホルダ。
【請求項２】
内部ホルダが、上下が開放された筒体または、有底の筒体からなっていることを特徴とする請求項１に記載のカップホルダ。
【請求項３】
内部ホルダの中空部が、収納するカップ類の外周面に対して一部が接し、一部が離間するような断面形状に形成されていることを特徴とする請求項１に記載のカップホルダ。
【請求項４】
外部ホルダが、車輌に装備された既設のカップホルダからなっており、上記外部ホルダの受部に内部ホルダを嵌合してなることを特徴とする請求項１に記載のカップホルダ。
【発明の詳細な説明】
【０００１】
【発明が属する技術分野】
この発明は、建設機械その他の車輌の運転室などに設置されて、紙コップや缶、ボトルなどのカップ類を保持するためのカップホルダの改良に関する。
【０００２】
【従来の技術】
カップホルダ１１は、図６に一例を示すように、合成樹脂等の硬質の素材で製作されたカップ状保持容器を機体の運転室内の所定個所に取付けており、その大きさや形状は、一般的な紙コップや飲料缶、あるいは携帯用のペットボトルなど（以下、「カップ類」とする）の大きさに合わせて設定されている。
そのため、前記カップ類１０が、カップホルダの想定しているサイズ以上の場合には、これらをカップホルダ１１に保持することができない。
逆に、カップホルダ１１の想定しているサイズ以下の場合には、カップホルダの保持部１４とカップ類１０との間の隙間が大きくなり、機体の振動等によりカップ類１０が大きく揺れて、内容物がこぼれ落ちる等の不具合が生じる可能性があった（図７参照）。
【０００３】
【発明が解決しようとする課題】
この発明は、上記事情に鑑みて創案されたものであって、その主たる課題は、十分な大きさを持った硬質の外部ホルダに、カップ類を保持しうるある程度の硬さと柔軟性および弾性を兼ね備えた素材で製作した内部ホルダを組み合わせることより、多様な大きさ・形状のカップ類に対応可能なカップホルダを提供するものである。
【０００４】
【課題を解決するための手段】
上記課題を達成するために、請求項１の発明では、
硬質の素材からなって、中央に上面が開口する中空状の受部を有する外部ホルダと、中央にカップを保持するための中空部を有し、柔軟性および弾性を有する素材からなって、前記外部ホルダの受部に隙間無く嵌着される内部ホルダとからなる、という技術的手段を講じている。
また、請求項２の発明では、
前記内部ホルダが、上下が開放された筒体または、有底の筒体からなっている、という技術的手段を講じている。
請求項３の発明では、
前記内部ホルダの中空部が、収納するカップ類の外周面に対して一部が接し、一部が離間するような断面形状に形成されている、という技術的手段を講じている。
更に、請求項４の発明では、
前記外部ホルダが、車輌に装備された既設のカップホルダからなっており、上記外部ホルダの受部に内部ホルダを嵌合してなる、という技術的手段を講じている。
【０００５】
【発明の実施の形態】
以下に、この発明のカップホルダを建設機械用に適用した場合の好適実施例について図面を参照しながら説明する。
このカップホルダ１は、硬質プラスチックまたはステンレスなどの硬質の合成樹脂や金属などからなる筐体としての外部ホルダ２と、発泡ウレタンなどからなって、カップ類１０を保持可能なある程度の硬さを有し、柔軟性と弾性を備えた内部ホルダ４との組合せからなっている。
【０００６】
外部ホルダ２は、上面が開口する有底の筒体からなっており、その中空状の受部３は、保持するカップ類１０に対して十分な大きさとなるようにその直径が定められ、且つ保持可能な高さに設定されている。
【０００７】
次に、内部ホルダ４は、本実施例の場合に、上下が開口した筒体からなっており、前記外部ホルダ２の受部３内に、圧縮せずに、または圧縮して隙間無く嵌め込むことができる外形に設定されている。
この内部ホルダ４の中央に設けられた中空部５は、カップ類１０を保持する空間として使用される。
【０００８】
この内部ホルダ４の中空部５の形状は特に限定されず、カップ類１０を保持する際には内壁面がそのまま接し、あるいは拡大、伸展してカップ類１０の外周面を嵌め込むことができる大きさととなればよく、その断面形状は特に問わない。従って、中空部５が断面円形状であって、保持するカップ類１０も断面円形状であってもよい。
【０００９】
この発明では、カップ類の着脱が容易に行われるように、収納するカップ類１０の外周面に対して一部が接し、一部が離間するような断面形状に形成されていることが好ましい。
図２（ａ）（ｂ）に示す内部ホルダ４の中空部５は、断面正方形状からなっている。
従って、断面が略円形のカップ類１０を保持する場合は、図２（ｃ）に示すように、カップ類１０の外周面の一部が中空部５の内壁面を押圧し、その弾性反発力によりカップ類１０が保持されるようになっている。
【００１０】
この中空部５の断面形状は、その他の長方形や多角形であってもよく、また図３に示すように断面楕円形状であっても、あるいは図４に示すように断面星形形状などの任意な幾何学的模様形状であってもよい。
また、図５に示すように、カップ類１０が断面略正方形状の場合は、中空部５が断面円形であっても同様に一部がカップ類１０の外周面と接し、一部が離間するような保持構造となる。
【００１１】
また、上記実施例では、内部ホルダ４は底部が開放された場合を例示したが底壁を一体に有する構造であってもよい。
この場合、底壁は、カップ類１０に上下に力が加わる際の緩衝体として作用することになる。
【００１２】
このカップホルダ１は、外部ホルダ２と内部ホルダ４の組合せからなるものであり、内部ホルダ４が摩耗、損傷した場合には容易に交換することができる。
あるいは、外周形状が同一であって、弾性や硬さの異なる素材の内部ホルダ４、または中空部５の形状の異なる内部ホルダ４を数種類、予め用意しておき、用途に応じて最適のものを選択して外部ホルダ２に組み合わせるようにしてもよい。
【００１３】
同様に、既設の硬質の合成樹脂や金属などで形成されたカップホルダを外部ホルダ２として用い、別に用意した内部ホルダ４をこの外部ホルダ２に嵌め込むことで、本発明のカップホルダ１として使用することができる。
【００１４】
この発明は上記構成からなっているので、カップ類１０の外形がカップホルダ１の中空部５より大きい場合であっても、中空部５を拡張、伸展させ、大きくしてカップ類１０をカップホルダ１の内部ホルダ４の中空部５に嵌め込むことができる。
嵌め込まれたカップ類１０の外周面は、上記中空部５の内壁面に接するか、あるいは少なくとも一部を押圧しその弾性反発力で保持されている。
【００１５】
そして、カップホルダ１を介してカップ類１０に衝撃が加わった場合には、カップ類１０には中空部５の内壁面を介して緩衝された力が作用し、また、カップ類１０の動きは中空部５の内壁面を介して緩衝されるので、カップ類１０に収納された飲料などの液体が揺れてこぼれ落ちる虞れがなくなる。
【００１６】
この発明では、建設機械の運転室に設けたカップホルダに適用した場合について説明したが、この発明では、その他の作業機や乗用車などの各種車輌に装備した場合に限らず、広くカップホルダ全般に適用することができる。
その他要するにこの発明の要旨を変更しない範囲で種々設計変更しうること勿論である。
【００１７】
【発明の効果】
この発明は、上記構成からなるので、カップ類の大きさや形状が、カップホルダの内部ホルダの中空部の大きさより大きい場合でも、素材の弾性伸縮力により中空部を拡大してカップ類を保持することができる。
これと共に、内部ホルダは緩衝材となって、カップ類へ加わる衝撃や、カップ類の動きを緩衝するので、カップ類に収納された内容部が波立たず、カップ類からこぼれ落ちることがない。
また、既設のカップホルダに内部ホルダを嵌め込むだけでこの発明のカップホルダとすることもできるので、汎用性に優れ、有益である。
【図面の簡単な説明】
【図１】カップホルダの好適実施例を示す斜視図である。
【図２】（ａ）は、カップホルダの組立状態を示す斜視図、（ｂ）は内部ホルダの断面図、（ｃ）はカップ類を保持した状態のカップホルダの断面図である。
【図３】（ａ）は中空部が断面楕円形状の内部ホルダの断面図、（ｂ）はカップ類を保持した状態のカップホルダの断面図である。
【図４】（ａ）は中空部が断面星形状の内部ホルダの断面図、（ｂ）はカップ類を保持した状態のカップホルダの断面図である。
【図５】（ａ）は中空部が断面円形状の内部ホルダの断面図、（ｂ）はカップ類を保持した状態のカップホルダの断面図である。
【図６】従来のカップホルダを示す斜視図である。
【図７】（ａ）はカップ類を保持した状態のカップホルダの断面図、（ｂ）はカップ類が揺動する状態を説明する正面図である。
【符号の説明】
１　　カップホルダ
２　　外部ホルダ
３　　受部
４　　内部ホルダ
５　　中空部
１０　　カップ類
【図１】
2004042730.tif 000003
【図２】
2004042730.tif 000004
【図３】
2004042730.tif 000005
【図４】
2004042730.tif 000006
【図５】
2004042730.tif 000007
【図６】
2004042730.tif 000008
【図７】
2004042730.tif 000009